(57)【要約】      （修正有）【課題】実験室クラスの機器に適用することができる超高エネルギーの脈動−ロータリーミル用駆動装置を提供する。【解決手段】リアルタイムで供給される機械的エネルギーの量の同時制御によって、３つの軸における三次元粉砕プロセスを実行できるようにするための超高エネルギーの脈動−ロータリーミル用駆動装置の使用であって、回転遊星駆動装置は、回転運動ドライブを構成し、回転機械エネルギーカウンタ３に接続されたインバータ２を介して動力を供給される交流モーター１からなり、脈動駆動部は、脈動機械的エネルギーカウンター７に接続されたインバータ６によって動力伝達される交流モーター４駆動のアクチュエータ（作動器）５からなり、機械的エネルギーカウンター７及び３からの信号はデジタルレコーダ８に搬送される。【選択図】図１
2015116557.tif 000002
【特許請求の範囲】
【請求項１】
摺動スプライン継手（１６）を介して、バイアルの組立体（１５）の上に、遊星歯車（１３）からのトルクを伝達することによって達成される、ロータリー駆動及び脈動駆動の２つの駆動タイプの重ね合わせの機能性を有することを特徴とする、超高エネルギー脈動ロータリーミルの駆動装置。
【請求項２】
前記脈動駆動部が、シャフト（１８）上に摺動可能に取り付けられ、上部スライドスリーブ（１９）と下部スライドスリーブ（２０）によりバイアル（１５）の組立体に接続された圧力テーブル（１７）上に位置する振動アクチュエータ（すなわち作動器）（５）を含み、スライドスリーブは（１９）、（２０）は、キー溝（２１）の手段によってシャフト（１８）に対して回転しないように保護されており、前記バイアルの組立体（１５）は、振動遮断体（２４）用の搭載部を構成する下部回転ケージ（２３）とタイ（締め具）（２６）によってミルの操作において開口しないように保護された、上昇上側ケージ（２５）との間に取付けられたバイアル（２２）を含むことを特徴とする、請求項１に記載の超高エネルギーの脈動ロータリーミル駆動装置。
【請求項３】
前記駆動装置によって供給される機械的エネルギーの量は、回転−遊星駆動および脈動駆動のために独立して、即座にカウントし、記録され、前記機能性は、機械的脈動エネルギーカウンターにインバータ（２）からのそれぞれの信号を送信し、機械的な回転エネルギーカウンター（３）にインバータからそれぞれの信号を搬送し、機械的な回転エネルギーカウンター（３）及び機械的脈動エネルギーカウンター（７）からデジタルレコーダの入力端子（８）へ出力信号を導くによって実現されることを特徴とする、請求項１に記載の超高エネルギー脈動ロータリーミル用駆動装置。
【発明の詳細な説明】
【技術分野】
【０００１】
本発明の対象は、実験室クラスの装置において使用することができる超高エネルギーの脈動ロータリーミル用駆動部である。
【背景技術】
【０００２】
一般的に知られており、広く使用されてボールミルは、単一の駆動モーターを用いた太陽歯車のための駆動装置およびバイアルを提供する、遊星伝動機を採用した駆動解法を通常使用する。ベルト伝動に基く解法もまた使用される。
ボールミル駆動において現在使用されている解法は、単一の平面内の太陽歯車およびバイアルのために正しく安定した駆動を保証する。
アクティブな三次元粉砕プロセスを実行するために必要となる第３軸内で粉砕媒体を駆動することは不可能である。
【発明の概要】
【０００３】
本発明の目的は、三次元の粉砕プロセスを、即座に供給されるエネルギーの量を同時に制御して三つの軸で行うことを可能にする超高エネルギーの脈動ロータリーミル用駆動装置の応用である。
【０００４】
提案された超高エネルギー脈動ロータリーミル駆動装置の背景にある本質的な考え方は、２つの駆動タイプ、すなわち、回転遊星駆動装置系及び脈動駆動装置系の重ね合わせからなる。
【０００５】
シャフトは、回転遊星駆動装置のための回転軸を構成すると同時に、それが脈動駆動装置へ接続するための手段として機能する。シャフトにはまた、脈動の有害な影響から脈動装置を保護する振動遮断物が取り付けられている。さらに、供給される機械的エネルギーの量も、回転遊星駆動装置と脈動駆動装置ごとに独立してリアルタイムでカウントされる。
【図面の簡単な説明】
【０００６】
【図１】超高エネルギー脈動ロータリーミル用駆動装置の側面図である。
【図２】超高エネルギー脈動ロータリーミル用駆動装置主要部の断面図および平面図である。
【図３】超高エネルギー脈動ロータリーミル用駆動装置のさらに主要部の断面図および平面図である。
【図４】超高エネルギー脈動ロータリーミル用駆動装置の斜視図である。
【発明を実施するための形態】
【０００７】
本発明の例示的な実施形態が図１、図２及び図３に示されている。
【０００８】
回転遊星駆動装置は、インバータ（２）を介して動力を供給する回転駆動部を構成し、回転機械エネルギーカウンター（３）に接続される交流モーター（１）、及び、脈動機械エネルギー・カウンター（７）に接続されたインバータ（６）を介して動力を供給する脈動く像装置を構成する交流モーター（４）駆動用アクチュエータ（５，作動器）を備える。機械的エネルギーカウンター（７）及び（３）からの信号は、デジタルレコーダ（８）に搬送される。
【０００９】
モーター軸（１）に取り付けられたベルトプーリ（９）は、駆動ベルト（１０）の手段によって伝達ケージ（１２）に固定されたベルトプーリ（１１）を駆動する。前記ケージに装着された遊星歯車（１３）は固定された太陽歯車（１４）の周りを回転する。遊星歯車（１３）からの駆動トルクは、摺動スプライン継手（１６）によってバイアルの組立体（１５）に転送され、こうして遊星と脈動の組み合わせを可能にする。
【００１０】
完全な脈動ロータリーミル中の超高エネルギーの脈動ロータリーミル駆動部の適用例を図４に示す。
【００１１】
超高エネルギー脈動ロータリーミル駆動装置は、産業用や研究用実験室への応用がある。
【００１２】
回転遊星駆動と脈動駆動に独立して、リアルタイムで供給される機械的エネルギーの量をカウントする内臓の機能は、完全な脈動ロータリーミルのエネルギー均衡プロセスにおける応用ができるであろう。
【産業上の利用可能性】
【００１３】
本発明は、三次元の粉砕プロセスを、即座に供給されるエネルギーの量を同時に制御して三つの軸で行うことを可能にする、超高エネルギーの脈動ロータリーミル用駆動装置に応用される。  
【符号の説明】
【００１４】
１    回転駆動用交流モーター
２    回転駆動用インバータ
３    機械的回転エネルギーカウンター
４    脈動駆動用交流モーター
５    アクチュエータ
６    脈動駆動用インバータ
７    脈動機械エネルギーカウンター
８    デジタルレコーダ
９    ベルトプーリ
１０  駆動ベルト
１１  ベルトプーリ
１２  伝達ケージ
１３  遊星歯車
１４  太陽歯車
１５  バイアル組立体
１６  継手
１７  圧力テーブル
１８  シャフト
１９  上部スライドスリーブ
２０  下部スライドスリーブ
２１  キー溝
２２  バイアル
２３  下部回転ケージ
２４  振動遮断体
２５  上側ケージ
２６  タイ（締め具）
【図１】
2015116557.tif 000003
【図２】
2015116557.tif 000004
【図３】
2015116557.tif 000005
【図４】
2015116557.tif 000006
【外国語明細書】
2015116557.tif 000007
2015116557.tif 000008
2015116557.tif 000009
2015116557.tif 000010
2015116557.tif 000011
2015116557.tif 000012
2015116557.tif 000013
2015116557.tif 000014